(57)【要約】      （修正有）【課題】携帯端末機等の商品販売ツールとして、省スペースでありながら、商品の外装の外観や触感を的確に把握できる携帯端末機外装見本を提供する。【解決手段】携帯端末機を販売する店頭において使用する携帯端末機外装見本１であって、質感や配色の異なる複数のバリエーションを有する携帯端末機種の、バリエーションそれぞれの質感と配色を模したパネル３を、台板２に配置して固定した。台板２に携帯端末機の機種名４を表示し、パネル３の周辺に、それぞれの識別名５を表示した。【選択図】図１
0003223366.tif 000002
【実用新案登録請求の範囲】
【請求項１】
携帯端末機を販売する店頭において使用する携帯端末機外装見本であって、質感や配色の異なる複数のバリエーションを有する携帯端末機種の、バリエーションそれぞれの質感と配色を模したパネルを、台板に配置して固定したことを特徴とする携帯端末機外装見本。
【請求項２】
前記台板は、透明な合成樹脂からなることを特徴とする請求項１に記載の携帯端末機外装見本。
【請求項３】
前記パネルは、幅３０ｍｍ〜１００ｍｍ、高さ５０ｍｍ〜２００ｍｍのほぼ矩形状であることを特徴とする請求項１または２に記載の携帯端末機外装見本。
【請求項４】
前記台板に携帯端末機の機種名を表示したことを特徴とする請求項１〜３のいずれか１項に記載の携帯端末機外装見本。
【請求項５】
前記パネルの周辺に、それぞれの識別名を表示したことを特徴とする請求項１〜４のいずれか１項に記載の携帯端末機外装見本。
【考案の詳細な説明】
【技術分野】
【０００１】
本考案は、外装が異なる複数のバリエーションが設定された携帯端末機を販売する際に店頭において使用する携帯端末機外装見本に関する。
【背景技術】
【０００２】
従来、携帯電話機や携帯情報端末機等の電子機器類の販売に当たっては、実機を展示せず、実機と近似の外観や触感を備えた店頭見本（モックアップ）を商品販売ツールとして使用している。特許文献１には、外観や重量を模した携帯電話機のモックアップが開示されている。また特許文献２には、表示板の干渉縞が発生しにくい店頭見本が開示されている。
【０００３】
しかし多くの場合、１機種毎に外装仕上げの異なる複数の商品が存在するため、すべての商品をモックアップとして店頭に展示すると、その分広大な展示スペースが必要となり、展示スペースが絶対的に不足するという問題が生じる。
【０００４】
近年消費者のし好の多様化に伴い、携帯端末機の機能や、質感や色、デザインが多様化する傾向が見られるため、この展示スペース不足の問題は無視できない課題となりつつある。
【先行技術文献】
【特許文献】
【０００５】
【特許文献１】特許第３７５９５６５号公報
【特許文献２】特許第４９４１０７６号公報
【考案の概要】
【考案が解決しようとする課題】
【０００６】
本考案の解決しようとする課題は、携帯端末機等の商品販売ツールとして、省スペースでありながら、商品の外装の外観や触感を的確に把握できる携帯端末機外装見本を提供することである。
【課題を解決するための手段】
【０００７】
上記の課題を解決するための手段として、請求項１に記載の考案は、携帯端末機を販売する店頭において使用する携帯端末機外装見本であって、質感や配色の異なる複数のバリエーションを有する携帯端末機種の、バリエーションそれぞれの質感と配色を模したパネルを、台板に配置して固定したことを特徴とする携帯端末機外装見本である。
【０００８】
また、請求項２に記載の考案は、前記台板が、透明な合成樹脂からなることを特徴とする請求項１に記載の携帯端末機外装見本である。
【０００９】
また、請求項３に記載の考案は、前記パネルが、幅３０ｍｍ〜１００ｍｍ、高さ５０ｍｍ〜２００ｍｍのほぼ矩形状であることを特徴とする請求項１または２に記載の携帯端末機外装見本である。
【００１０】
また、請求項４に記載の考案は、前記台板に携帯端末機の機種名を表示したことを特徴とする請求項１〜３のいずれか１項に記載の携帯端末機外装見本である。
【００１１】
また、請求項５に記載の考案は、前記パネルの周辺に、それぞれの識別名を表示したこ
とを特徴とする請求項１〜４のいずれか１項に記載の携帯端末機外装見本である。
【考案の効果】
【００１２】
本考案に係る携帯端末機外装見本は、１枚の台板に一つの機種のバリエーションそれぞれの質感と配色を模したパネルを配置して固定したので、かさばらず、収納も容易である。このため、店頭において必要に応じて取り出して顧客に提示することができる。多くの機種を販売する店頭においても、それぞれの機種毎に１個のモックアップと１枚の外装見本があれば事足りるので、省スペースが実現でき、狭い店でも販売効率が向上する。
【００１３】
請求項２に記載の考案のように、台板が透明な合成樹脂からなるものである場合には、意匠性に優れ、それぞれのパネルの見映えが良い。
【００１４】
請求項３に記載の考案のように、パネルの寸法を元の機種のサイズに応じて設定することで、意匠見本としての実用性を最適なものとすることができる。
【００１５】
請求項４に記載の考案のように、台板に携帯端末機の機種名を表示した場合には、店舗内に複数の外装見本が存在しても、台板１枚毎に機種名が表示されているので、他の機種と取り違えることもない。
【００１６】
請求項５に記載の考案のように、パネルの周辺に、それぞれの識別名を表示した場合には、ユーザーが色番を指定する際に、間違いなく指定できる。
【図面の簡単な説明】
【００１７】
【図１】図１は、本考案に係る携帯端末機外装見本の一実施態様を示した平面模式図である。
【図２】図２は、本考案に係る携帯端末機外装見本において、パネルの取り付け方法の一例を示した断面説明図である。
【考案を実施するための形態】
【００１８】
以下図面を参照しながら、本考案に係る携帯端末機外装見本について詳細に説明する。図１は、本考案に係る携帯端末機外装見本の一実施態様を示した平面模式図である。本考案に係る携帯端末機外装見本は、携帯端末機を販売する店頭において使用する携帯端末機外装見本であって、質感や配色の異なる複数のバリエーションを有する携帯端末機種の、バリエーションそれぞれの質感と配色を模したパネル３を、台板２に配置して固定したことを特徴とする。
【００１９】
携帯端末機は、多くの場合１つの機種に質感や配色の異なる複数のバリエーションが存在するが、このそれぞれについて実物やモックアップを準備することは、店頭のスペースの制約から困難である。そこで、本考案においては、バリエーションそれぞれの質感と配色を模したパネル３を、台板２に配置して固定した携帯端末機外装見本を提案したものである。
【００２０】
図１に示した例では、台板２に機種名４を表示したことに加えて、個々のパネルについてその識別名５を表示してある。識別名５は、色番号であったり、色記号であったりする。機種のバリエーションが特定できる名称である。識別名５をパネル毎に表示することで、顧客は、選択した意匠に対応する機種および色番等を間違いなく指定することができる。
【００２１】
このような携帯端末機外装見本を、複数の機種それぞれについて準備しておくことによ
り、狭い店舗であっても、販売効率を向上することができる。
【００２２】
台板２の材質には特に制約はなく、板状でさえあれば木材、木質板、金属板、プラスチック板等任意の材質の板が使用できる。台板２として透明な合成樹脂板を使用した場合には、携帯端末機外装見本としての意匠性も良好であり、パネルの見映えも良い。なかでもアクリル樹脂板は、透明性が高く、加工も容易であるため、好適に使用できる。
【００２３】
台板２に固定するパネル３の材質については、実機の材質に合わせて適宜選択される。例えば実機の表面仕上げ材がアルミニウム板であれば、同様の材質とするのが好ましい。また例えば実機の表面がプラスチック成型品に塗装を施したものであれば、パネル３も同様のプラスチック成型品に実機と同じ塗装を施したものが好ましい。
【００２４】
パネル３の形状についても、実機の質感を想像できるように、実機と同様の曲面形状を持ったものが好ましい。またパネル３の大きさについても同様に、実機と掛け離れたものではなく、実機の寸法に合わせて、実機のイメージが捉えられやすいものとすることが大切である。
【００２５】
図２は、本考案に係る携帯端末機外装見本１において、パネル３の取り付け方法の一例を示した断面説明図である。この例では、台板２の表面に、両面接着テープ６によってパネル３が取り付けられている。パネル３の取り付け方法には特に制約はないが、接着剤や両面接着テープを利用するのが便利である。簡単に取り外しができるような方法で固定しても良い。
【符号の説明】
【００２６】
１・・・携帯端末機外装見本
２・・・台板
３・・・パネル
４・・・機種名
５・・・識別名
６・・・両面接着テープ
【図１】
0003223366.tif 000003
【図２】
0003223366.tif 000004